(57)【特許請求の範囲】
【請求項１】
水生生物を養殖するための養殖水槽と、
植物を水耕栽培するための水耕栽培水槽と、
前記養殖水槽からの排水を処理して、処理水を前記水耕栽培水槽に供給する水処理装置と、
前記水耕栽培水槽からの排水を前記養殖水槽に提供する配管と、を備え、
前記水処理装置は、
前記養殖水槽からの排水に含まれる不純物から前記植物の栄養分を生成し、前記生成した栄養分が過剰な場合に、過剰になる栄養分を貯留タンクに貯留することにより、前記水耕栽培水槽への栄養分の供給量を制御する、生産システム。
【請求項２】
請求項１に記載の生産システムにおいて、
前記水処理装置は、
前記生成した栄養分が過剰な場合に、過剰になる栄養分を前記貯留タンクに貯留するとともに、前記生成した栄養分が不足する場合に、前記貯留タンクから補充することにより、前記水耕栽培水槽への栄養分の供給量を制御する、生産システム。
【請求項３】
請求項１又は２に記載の生産システムにおいて、
前記水処理装置は、
前記養殖水槽からの排水から液肥を生成する液肥生成手段と、
前記液肥生成手段により生成された液肥の前記水耕栽培水槽への供給を制御する制御手段と、を備える生産システム。
【請求項４】
請求項１から３のいずれか一項に記載の生産システムにおいて、
前記水処理装置により生成される処理水の少なくとも一部を貯留し、貯留した処理水を前記水耕栽培水槽に供給する水貯留タンクをさらに備える、生産システム。
【請求項５】
請求項４に記載の生産システムにおいて、
前記水処理装置からの処理水を前記養殖水槽に供給する第１の配管と、
前記水耕栽培水槽からの排水を前記水貯留タンクに供給する第２の配管と、をさらに備える、生産システム。
【請求項６】
請求項１から５のいずれか一項に記載の生産システムにおいて、
前記水処理装置は、前記水耕栽培水槽で水耕栽培する植物の種類および前記植物の生育状況の少なくとも一方に基づき、前記水耕栽培水槽に供給される栄養分およびその含有量を制御する、生産システム。
【請求項７】
水生生物を養殖するための養殖水槽からの排水を処理して、処理水を、植物を水耕栽培するための水耕栽培水槽に、前記水耕栽培水槽からの排水を前記養殖水槽に供給する配管を介して、供給する水処理装置に、
前記養殖水槽からの排水に含まれる不純物から前記植物の栄養分を生成し、前記生成した栄養分が過剰な場合に、過剰になる栄養分を貯留タンクに貯留することにより、前記水耕栽培水槽への栄養分の供給量を制御する処理を実行させる、プログラム。
【請求項８】
水生生物を養殖するための養殖水槽と、植物を水耕栽培するための水耕栽培水槽と、前記水耕栽培水槽からの排水を前記養殖水槽に供給する配管とを備える生産システムの制御方法であって、
前記養殖水槽からの排水を処理して、処理水を前記水耕栽培水槽に供給するステップと、
前記養殖水槽からの排水に含まれる不純物から前記植物の栄養分を生成し、前記生成した栄養分が過剰な場合に、過剰になる栄養分を貯留タンクに貯留することにより、前記水耕栽培水槽への栄養分の供給量を制御するステップと、を含む制御方法。
【請求項９】
請求項１から６のいずれか一項に記載の生産システムによる植物用肥料の生産方法であって、
前記養殖水槽からの排水から不純物を分離するステップと、
前記分離した不純物から栄養分を生成し、前記生成した栄養分が過剰な場合に、過剰になる栄養分を貯留タンクに貯留するステップと、を含む生産方法。
【発明の詳細な説明】
【技術分野】
【０００１】
本発明は、生産システム、プログラム、制御方法、水処理装置および液肥の生産方法に関する。
【背景技術】
【０００２】
特許文献１には、魚介類などの水生生物を養殖するための養殖水槽を備える養殖部と、植物を水耕栽培するための水耕栽培部と、養殖水槽からの排水を曝気処理する浄化部と、を備えるシステムが記載されている。このシステムでは、養殖水槽からの排水に含まれる水生生物の糞および食べ残し餌などの有機物を浄化部による曝気処理により分解し、水耕栽培される植物の窒素源として吸収させることで水を浄化して養殖水槽に再び供給する。
【先行技術文献】
【特許文献】
【０００３】
【特許文献１】特開２０１４−４２４９２号公報
【発明の概要】
【発明が解決しようとする課題】
【０００４】
上述したようなシステムでは、養殖される水生生物の成長度合いあるいは水生生物の水揚げによる生育量の変化などにより、養殖水槽からの排水の水質（糞および食べ残し餌の量など）が変化する。特許文献１に記載のシステムでは、養殖水槽からの排水の水質の変化に関わらず、養殖水槽からの排水が浄化部で処理されてそのまま水耕栽培部に供給される。そのため、水耕栽培に対する栄養分の供給度合いが安定せず、植物を安定的・効率的に水耕栽培することができない。また、水耕栽培に対する栄養分の供給度合いを安定させるために、養殖される水生生物の生育量などを調整する方法も考えられるが、この方法では、水生生物を効率的に養殖することができない。
【０００５】
かかる事情に鑑みてなされた本発明の目的は、水生生物の養殖および植物の水耕栽培の効率化を図ることにある。
【課題を解決するための手段】
【０００６】
本発明の一実施形態に係る生産システムは、水生生物を養殖するための養殖水槽と、植物を水耕栽培するための水耕栽培水槽と、前記養殖水槽からの排水を処理して、処理水を前記水耕栽培水槽に供給する水処理装置と、を備え、前記水処理装置は、前記養殖水槽からの排水に含まれる不純物から前記植物の栄養分を生成し、前記水耕栽培水槽への栄養分の供給を制御する。
【０００７】
本発明の一実施形態に係るプログラムは、水生生物を養殖するための養殖水槽からの排水を処理して、処理水を、植物を水耕栽培するための水耕栽培水槽に供給する水処理装置に、前記養殖水槽からの排水に含まれる不純物から前記植物の栄養分を生成し、前記水耕栽培水槽への栄養分の供給を制御する処理を実行させる。
【０００８】
本発明の一実施形態に係る制御方法は、水生生物を養殖するための養殖水槽と、植物を水耕栽培するための水耕栽培水槽とを備える生産システムの制御方法であって、前記養殖水槽からの排水を処理して、処理水を前記水耕栽培水槽に供給するステップと、前記養殖水槽からの排水に含まれる不純物から前記植物の栄養分を生成し、前記水耕栽培水槽への栄養分の供給を制御するステップと、を含む。
【０００９】
本発明の一実施形態に係る水処理装置は、上述した生産システムを構成する。
【００１０】
本発明の一実施形態に係る液肥の生産方法は、上述した生産システムによる液肥の生産  方法であって、前記養殖水槽からの排水から不純物を分離するステップと、前記分離し  た不純物から液肥を生成するステップと、を含む。
【発明の効果】
【００１１】
本発明の一実施形態によれば、水生生物の養殖および植物の水耕栽培の効率化を図ることができる。
【図面の簡単な説明】
【００１２】
【図１】本発明の第１の実施形態に係る生産システムの構成の一例を示す図である。
【図２】図１に示す水処理装置の動作の一例を示すフローチャートである。
【図３】図１に示す栄養分調整部の動作の一例を示すフローチャートである。
【図４】図１に示す水処理装置の構成の別の一例を示す図である。
【図５】図１に示す水処理装置の構成のさらに別の一例を示す図である。
【図６】本発明の第２の実施形態に係る生産システムの構成の一例を示す図である。
【発明を実施するための形態】
【００１３】
以下、本発明の実施の形態について図面を参照して例示説明する。各図中、同一符号は、同一または同等の構成要素を示している。
【００１４】
（第１の実施形態）
図１は、本発明の第１の実施形態に係る生産システム１の構成の一例を示す図である。本実施形態に係る生産システム１は、魚介類などの水生生物の養殖と、植物の水耕栽培との間で水を循環させるシステムである。
【００１５】
図１に示す生産システム１は、養殖水槽１０と、水耕栽培水槽２０と、水処理装置３０とを備える。
【００１６】
養殖水槽１０は、魚介類などの水生生物を養殖するための水槽である。養殖水槽１０と水処理装置３０とは配管５１を介して接続される。養殖水槽１０で養殖された水生生物の糞および食べ残し餌などの不純物を含む排水が配管５１を介して水処理装置３０に供給される。
【００１７】
水耕栽培水槽２０は、植物を水耕栽培するための水槽である。水耕栽培水槽２０と水処理装置３０とは配管５２を介して接続され、水耕栽培水槽２０と養殖水槽１０とは配管５３を介して接続される。水耕栽培水槽２０は、後述する水処理装置３０による処理後の処理水が供給される。また、水耕栽培水槽２０は、水処理装置３０から水耕栽培される植物のための栄養分が供給される。水耕栽培水槽２０からの排水は、配管５３を介して養殖水槽１０に供給される。
【００１８】
生産システム１を構成する水処理装置３０は、配管５１を介して供給された、養殖水槽１０からの排水を処理して、配管５２を介して処理水を水耕栽培水槽２０に供給する装置である。水処理装置３０は、養殖水槽１０からの排水に含まれる不純物から植物の栄養分を生成し、水耕栽培水槽２０に供給する。また、水処理装置３０は、水耕栽培水槽２０への栄養分の供給を制御する。
【００１９】
図１に示す生産システム１によれば、養殖水槽１０からの排水から不純物が除去された処理水が水耕栽培水槽２０に供給されるとともに、除去された不純物から栄養分が生成され、水耕栽培水槽２０に供給される。水耕栽培水槽２０に供給された栄養分は植物の根から吸収される。したがって、水耕栽培水槽２０から養殖水槽１０には、浄化された水が供給されるので、水の循環により節水が可能となり、また、清掃および水の入れ替え作業の手間の削減を図ることができる。また、水生生物の糞などから水耕栽培する植物の栄養分を生成するため、コスト削減を図ることができる。さらに、水耕栽培水槽２０への栄養分の供給を制御することで、必要な量の栄養分を水耕栽培水槽２０に適宜、供給することができるので、植物の水耕栽培の効率化を図ることができる。また、水耕栽培水槽２０に供給する栄養分に応じて養殖する水生生物の生育量などを調整する必要がないので、水生生物の養殖の効率化を図ることができる。したがって、水生生物の養殖および植物の水耕栽培の効率化を図ることができる。
【００２０】
次に、水処理装置３０の構成について、図１を参照して説明する。
【００２１】
図１に示すように、水処理装置３０は、固液分離部３１と、液肥生成手段としての液肥生成部３２と、液肥貯留タンク３３と、制御手段としての栄養分調整部３４とを備える。
【００２２】
固液分離部３１は、配管５１を介して供給された、養殖水槽１０からの排水を、水生生物の糞および食べ残し餌などの不純物と、不純物を除去した処理水とに固液分離するろ過装置である。固液分離部３１は、配管５２を介して処理水を水耕栽培水槽２０に供給する。固液分離部３１は、処理水を水耕栽培水槽２０に供給する前に、ＵＶライトなどによる紫外光の照射により、処理水の殺菌を行ってもよい。固液分離部３１は、分離した不純物を液肥生成部３２に供給する。固液分離部３１としては、フィルタあるいは膜といった公知のろ過装置を用いることができる。固液分離部３１としてフィルタあるいは膜を用いる場合、固液分離部３１のメンテナンス（洗浄）は、定期的に（例えば、１〜１２時間ごとなど、任意の時間間隔で）、空気圧による逆洗により行われる。空気圧による逆洗により固液分離部３１を洗浄することで、フィルタ清掃の手間を軽減することができる。
【００２３】
液肥生成部３２は、固液分離部３１から供給された不純物を分解して、植物の栄養分である液肥を生成する装置である。液肥生成部３２は、例えば、サイズの大きい不純物は粉砕した上で、バクテリアなどの好気性菌による生物処理により、不純物に含まれる窒素分を硝酸塩などの肥料成分にする。液肥の生成の際には、好気性菌が活動しやすいようにエアレーションが行われる。本実施形態においては、生物処理により液肥を生成する例を用いて説明したが、本発明はこれに限られるものではなく、不純物から液肥を生成することができれば、任意の方法・技術を用いることができる。液肥生成部３２は、生成した液肥を液肥貯留タンク３３に供給する。
【００２４】
液肥貯留タンク３３は、液肥生成部３２により生成された液肥を貯留するタンクである。液肥貯留タンク３３に貯留された液肥は、水耕栽培水槽２０に供給される。液肥貯留タンク３３に貯留された液肥は、水耕栽培水槽２０に供給されるだけでなく、適宜、販売などされてもよい。液肥貯留タンク３３内では、液肥生成部３２と同じ状態を維持することができるように、エアレーションが行われてもよい。
【００２５】
栄養分調整部３４は、液肥貯留タンク３３に貯留された液肥、すなわち、液肥生成部３２により生成された液肥の水耕栽培水槽２０への供給を制御する。具体的には、栄養分調整部３４は、水耕栽培水槽２０に供給される、植物の水耕栽培に必要な栄養分の量（液肥の添加量）を制御する。栄養分調整部３４は、例えば、窒素、リン、カリウム、マグネシウム、カルシウムあるいは鉄分を制御対象として、その添加量を制御する。栄養分調整部３４は、これらの成分の一部だけを制御対象としてもよく、これらの成分以外の成分を制御対象に加えてもよい。
【００２６】
次に、本実施形態に係る水処理装置３０の動作について説明する。図２は、本実施形態に係る水処理装置３０の動作の一例を示すフローチャートであり、水処理装置３０の制御方法を説明するための図である。
【００２７】
固液分離部３１は、養殖水槽１０からの排水を処理して（不純物を除去して）（ステップＳ１１）。除去された不純物は液肥生成部３２に供給される。液肥生成部３２は、固液分離部３１から供給された不純物から植物の栄養分（液肥）を生成して、液肥貯留タンク３３に貯留し、栄養分調整部３４は、水耕栽培水槽２０への栄養分の供給を制御する（ステップＳ１２）。
【００２８】
次に、栄養分調整部３４による水耕栽培水槽２０への栄養分の供給の制御について、図３を参照して説明する。
【００２９】
栄養分調整部３４は、水耕栽培水槽２０で水耕栽培される植物に必要な栄養量（必要栄養量）を算出する（ステップＳ２１）。野菜に必要な栄養素とその量として、野菜の種類とｐＨとに応じた必要量が知られている。例えば、野菜を水耕栽培する場合、ｐＨ６〜７であるとすると、硝酸塩濃度が４０ｐｐｍ〜１６０ｐｐｍの範囲となるのがよいことが知られている。また、好ましくは、野菜の味および養殖される水生生物（魚）の状態をよりよくするために、硝酸塩濃度が４０ｐｐｍ〜８０ｐｐｍの範囲となるのがよいことが知られている。栄養分調整部３４は、例えば、このような情報に基づき必要栄養量を算出する。また、栄養分調整部３４は、水耕栽培される植物の生育状況に基づき、水耕栽培水槽２０に供給される栄養分およびその含有量を制御してもよい。
【００３０】
次に、栄養分調整部３４は、液肥貯留タンク３３に貯留された液肥の栄養含有量を測定する（ステップＳ２２）。そして、栄養分調整部３４は、液肥の栄養含有量が必要栄養量を満たす（必要栄養量を充足する）か否かを判定する（ステップＳ２３）。
【００３１】
液肥が必要栄養量を充足すると判定した場合（ステップＳ２３：Ｙｅｓ）、栄養分調整部３４は、必要量だけ液肥を水耕栽培水槽２０に供給する（ステップＳ２４）。
【００３２】
液肥が必要栄養量を充足しないと判定した場合（ステップＳ２３：Ｎｏ）、栄養分調整部３４は、足りない栄養分を液肥に補充した上で（ステップＳ２５）、必要量だけ液肥を水耕栽培水槽２０に供給する。栄養分調整部３４は、例えば、液肥が必要栄養量を充足しないと判定した場合、液肥貯留タンク３３から供給する液肥の量を増やすことで、必要栄養量を充足するようにする。また、栄養分調整部３４は、栄養分の量としては十分であっても、特定の栄養分（例えば、カリウム）が不足している場合、その不足している栄養分を補充した上で、液肥を水耕栽培水槽２０に供給する。
【００３３】
このように本実施形態においては、水処理装置３０は、水耕栽培水槽２０で水耕栽培する植物の種類および植物の生育状況の少なくとも一方に基づき、水耕栽培水槽２０に供給される栄養分およびその含有量を制御する。
【００３４】
水生生物の養殖と植物の水耕栽培とで水を循環させる生産システムでは、養殖水槽からの排水に含まれる不純物の量および不純物に含まれる成分は、水生生物の養殖量および水生生物の活動量（季節および生育状況などによって変動する）などによって変動する。そのため、養殖水槽からの排水に含まれる不純物の量が少なくなると、水耕栽培される植物に必要な栄養量を確保することができない場合がある。
【００３５】
従来は、水耕栽培される植物に必要な栄養量を確保することができるように、必要以上の水生生物を養殖することが行われていた。そのため、時期などにより、栄養分が過剰になる場合があったり、あるいは、過剰にならないように養殖したり、出荷等により生育数が変動したりするために、時期などにより、水生生物が不足する場合があったりした。
【００３６】
一方、本実施形態に係る生産システム１では、不純物から生成した液肥を液肥貯留タンク３３で貯留しておくため、保存が可能となり、かつ、必要量を適宜、水耕栽培水槽２０に供給することができる。そのため、生成される液肥の過剰・不足に関わりなく、水耕栽培水槽２０への液肥の供給量を調整することができる。したがって、水耕栽培される植物に対する必要量よりも多くの水生生物を養殖した場合、また、養殖される水生生物が少なくなった場合にも、必要な量の栄養分を水耕栽培水槽２０に供給することができる。すなわち、水耕栽培水槽２０に供給する栄養分に応じて養殖する水生生物の生育量を調整する必要がないので、水生生物の養殖および植物の水耕栽培の効率化を図ることができる。
【００３７】
また、養殖される水生生物の餌に含まれる成分などによって、生成される液肥に含まれる栄養分が変わり得る。そのため、液肥に含まれる栄養分の含有量（栄養含有量）を測定し、足りない栄養分がある場合には、その栄養分を補充して、水耕栽培水槽２０に液肥を供給することで、水耕栽培の効率化を図ることができる。
【００３８】
足りない栄養分を補充する場合、補充する栄養分は水に溶けやすいものであることが好ましい。水に溶けにくい栄養分を加えても、効果がないだけでなく、水耕栽培水槽２０の排水を養殖水槽１０に循環した場合に、養殖される水生生物に健康被害を及ぼす可能性があるからである。
【００３９】
そこで、外部から調達した栄養分を液肥に補充する場合、図４に示すように、水処理装置３０は、水質測定部３５をさらに備えることが好ましい。
【００４０】
水質測定部３５は、水耕栽培水槽２０から養殖水槽１０に供給される水の水質を測定し、測定結果を栄養分調整部３４に出力する。
【００４１】
栄養分調整部３４は、水質測定部３５の測定結果に基づき、栄養分の補充により、養殖される水生生物への影響がでないように、水耕栽培水槽２０に供給する栄養分を調整してよい。
【００４２】
また、本実施形態に係る水処理装置３０は、図５に示すように、ｐＨ調整部３６をさらに備えてよい。
【００４３】
ｐＨ調整部３６は、養殖水槽１０の水および水耕栽培水槽２０の水の少なくとも一方のｐＨを調整する。
【００４４】
養殖水槽１０からの排水は、水処理装置３０および水耕栽培水槽２０を経由する間に、ｐＨが下がる。例えば、養殖水槽１０からの排水のｐＨと、水処理装置３０の処理水のｐＨとはほぼ同じ値（処理水のｐＨの方がやや低い程度）であるが、水処理装置３０で生成された液肥のｐＨは、養殖水槽１０からの排水のｐＨよりも０．２程度下がる場合がある（下がり幅は、気温あるいは排水に含まれる不純物の状況などにより異なる）。そのため、処理水と液肥とが供給される水耕栽培水槽２０の水は、養殖水槽１０からの排水と比べてｐＨが下がることがある。
【００４５】
また、水耕栽培水槽２０からの排水のｐＨも、処理水のｐＨよりも低くなり、水耕栽培水槽２０からの排水が循環して養殖水槽１０に供給されることで、養殖水槽１０の水のｐＨも低下する。
【００４６】
そこで、ｐＨ調整部３６により、養殖水槽１０の水および水耕栽培水槽２０の水の少なくとも一方のｐＨを調整することで、養殖水槽１０の水および水耕栽培水槽２０の水のｐＨを適切な範囲に保つことができる。ｐＨの調整は、公知の方法により行うことができる。ｐＨを調整する方法としては、例えば、ｐＨ調整剤（薬剤）を添加する方法がある。添加されるｐＨ調整剤としては、養殖される水生生物および水耕栽培される植物の生育にとっては自然由来のものが好ましいため、例えば、牡蠣殻（炭酸カルシウム）などを用いることが好ましい。
【００４７】
ｐＨ調整部３６によるｐＨの調整は、養殖水槽１０の水および水耕栽培水槽２０の水の一方に対して行えばよい。ただし、養殖される水生生物の方がｐＨの影響をより強く受けるため、養殖水槽１０の水を対象としてｐＨを調整することが好ましい。なお、養殖している水生生物と、水耕栽培される植物とで適切なｐＨが異なる場合には、養殖水槽１０の水のｐＨと水耕栽培水槽２０の水のｐＨとを個別に調整してもよい。また、上述した例では、ｐＨ調整部３６によりｐＨを上げる例を用いて説明したが、水槽（養殖水槽１０および水耕栽培水槽２０）内の水のｐＨが上がる場合には、ｐＨ調整部３６は、ｐＨを下げるように調整を行えばよい。また、図５に示す水処理装置３０が、水質測定部３５をさらに備えてもよい。
【００４８】
このように本実施形態においては、生産システム１は、水生生物を養殖するための養殖水槽１０と、植物を水耕栽培するための水耕栽培水槽２０と、養殖水槽１０からの排水を処理して、処理水を水耕栽培水槽２０に供給する水処理装置３０と、を備える。水処理装置３０は、養殖水槽１０からの排水に含まれる不純物から植物の栄養分を生成し、水耕栽培水槽２０への栄養分の供給を制御する。
【００４９】
養殖水槽１０からの排水に含まれる不純物から栄養分を生成し、水耕栽培水槽２０への栄養分の供給を制御することで、必要な量の栄養分を水耕栽培水槽２０に適宜、供給することができるので、植物の水耕栽培の効率化を図ることができる。また、水耕栽培水槽２０に供給する栄養分に応じて養殖する水生生物の生育量などを調整する必要がないので、水生生物の養殖の効率化を図ることができる。したがって、水生生物の養殖および植物の水耕栽培の効率化を図ることができる。
【００５０】
（第２の実施形態）
図６は、本発明の第２の実施形態に係る生産システム１Ａの構成例を示す図である。図６において、図１と同様の構成には同じ符号を付し、説明を省略する。
【００５１】
図６に示す生産システム１Ａは、養殖水槽１０と、水耕栽培水槽２０と、水処理装置３０と、水貯留タンク４０とを備える。すなわち、本実施形態に係る生産システム１Ａは、図１に示す生産システム１と比較して、水貯留タンク４０を追加した点が異なる。
【００５２】
水貯留タンク４０は、配管５２から分岐した配管５４を介して、水処理装置３０と接続される。水処理装置３０により生成された処理水のうち、一部は水耕栽培水槽２０に供給され、残りは配管５４に流れる。配管５４は、水貯留タンク４０と接続するとともに、養殖水槽１０と接続する配管５５と接続する。配管５４に流れた処理水のうち、一部は水貯留タンク４０に供給され、残りは配管５５を介して養殖水槽１０に供給される。水貯留タンク４０は、配管５６を介して養殖水槽１０と接続されるとともに、配管５７，５８を介して水耕栽培水槽２０と接続される。水貯留タンク４０は、配管５２および配管５４を介して水処理装置３０から供給された処理水を貯留する。また、水貯留タンク４０は、配管５８を介して、水耕栽培水槽２０から供給された排水を処理水として貯留する。水貯留タンク４０は、貯留した処理水を、配管５６を介して養殖水槽１０に供給するとともに、配管５７を介して水耕栽培水槽２０に供給する。
【００５３】
このように本実施形態に係る生産システム１Ａは、貯留した処理水を水耕栽培水槽２０に供給する水貯留タンク４０を備える。また、本実施形態に係る生産システム１Ａは、水処理装置３０からの処理水を養殖水槽１０に供給する配管５５（第１の配管）と、水耕栽培水槽２０からの排水を水貯留タンク４０に供給する配管５８（第２の配管）とを備える。
【００５４】
水貯留タンク４０に貯留された処理水を養殖水槽１０および水耕栽培水槽２０に供給することで、養殖水槽１０および水耕栽培水槽２０の水量調整が容易となる。
【００５５】
また、本実施形態に係る生産システム１Ａにおいては、養殖水槽１０と水処理装置３０との間で水を循環させる系統（第１の系統）と、水耕栽培水槽２０と水処理装置３０との間で水を循環させる系統（第２の系統）とを分離して（２つの系統を独立して）、運転することができる。
【００５６】
例えば、養殖水槽１０での水生生物の養殖量と、水耕栽培水槽２０での植物の栽培量とバランスが悪い場合、２つの系統を分離して運転してもよい。。また、外部から栄養分を補充する場合、養殖される水生生物への影響を低減するために、２つの系統を分離して運転してもよい。すなわち、図６に示す生産システム１Ａでは、状況に応じて、図１に示す生産システム１と同様に、第１の系統と第２の系統とを連携して運転することができるとともに、第１の系統と第２の系統とを分離して運転することができる。
【００５７】
２つの系統を独立して運転することができることで、清掃などのために一方の系統を停止させる場合でも、他方の系統を安定して稼働することができる。また、それぞれの系統に設けるポンプを小型化することができるので、すなわち、２台の小型ポンプで運転することができるので、設備費・ランニングコストの低減を図ることができる。また、一方の系統に設けられたポンプが故障した場合でも、他方の系統は稼働を継続することができるので、一方の系統の故障が他方の系統に影響を及ぼすリスクを低減することができる。
【００５８】
また、上述したように、生産システム１Ａにおいては、２つの系統の連携と分離とを状況に応じて切り替えてもよい。２つの系統の連携と分離とを切替可能とすることで、水生生物の養殖と植物の水耕栽培とのバランスを維持できる範囲では、生産システム１Ａ全体で（第１の系統と第２の系統とで）水を循環させ、バランスが悪くなると、第１の系統と第２の系統とを個別に運転させてもよい。
【００５９】
なお、図６に示す生産システム１Ａを構成する水処理装置３０が、水質測定部３５およびｐＨ調整部３６の少なくとも一方を備えていてもよい。
【００６０】
本発明を諸図面および実施形態に基づき説明してきたが、当業者であれば本開示に基づき種々の変形及び修正を行うことが容易であることに注意されたい。したがって、これらの変形および修正は本発明の範囲に含まれることに留意されたい。例えば、各手段、各ステップなどに含まれる機能などは論理的に矛盾しないように再配置可能であり、複数の手段およびステップなどを１つに組み合わせたり、あるいは分割したりすることが可能である。前述したところは本発明の一実施形態にすぎず、特許請求の範囲において、種々の変更を加えてよいことは言うまでもない。
【００６１】
また、上述した実施形態において、水処理装置３０によって実現される各種の手段をソフトウェア構成として説明したが、これらのうち少なくとも一部の手段は、ソフトウェア資源および／またはハードウェア資源を含む概念であってもよい。
【００６２】
また、上述した実施形態に係る水処理装置３０として機能させるために、コンピュータまたは携帯電話などの装置を用いることができる。当該装置は、実施形態に係る水処理装置３０の各機能を実現する処理内容を記述したプログラムを、当該装置のメモリに格納し、当該装置のプロセッサによって当該プログラムを読み出して実行させることによって実現可能である。
【符号の説明】
【００６３】
１，１Ａ    生産システム
１０    養殖水槽
２０    水耕栽培水槽
３０    水処理装置
３１    固液分離部
３２    液肥生成部（液肥生成手段）
３３    液肥貯留タンク
３４    栄養分調整部（制御手段）
３５    水質測定部
３６    ｐＨ調整部
４０    水貯留タンク
５１〜５８    配管
【要約】      （修正有）【課題】水生生物の養殖および植物の水耕栽培の効率化を図れる生産システムを提供する。【解決手段】水処理システム１は、水生生物を養殖するための養殖水槽１０と、植物を水耕栽培するための水耕栽培水槽２０と、養殖水槽１０からの排水を処理して、処理水を水耕栽培水槽２０に供給する水処理装置３０と、を備え、水処理装置３０は、養殖水槽１０からの排水に含まれる不純物から植物の栄養分を生成し、水耕栽培水槽２０への栄養分の供給を制御する。【選択図】図１【図１】
0006876187.tif 000002
【図２】
0006876187.tif 000003
【図３】
0006876187.tif 000004
【図４】
0006876187.tif 000005
【図５】
0006876187.tif 000006
【図６】
0006876187.tif 000007